(57)【要約】【課題】  本発明は、ユーザに煩雑な操作を強いることなく隠しトラックを再生できるようにする。【解決手段】  本発明は、再生部３によって読み出されたＣＤ２のＴＯＣデータをＤＲＡＭ１４に記憶し、当該ＴＯＣデータの内容に基づいてＴＯＣデータと第１トラックとの間に隠しトラックが存在するか否かを判定し、隠しトラックが存在すると判定したとき当該隠しトラックを含めてＴＯＣデータを書き換えることにより書換ＴＯＣデータを生成することができるので、当該書換ＴＯＣデータに従って再生処理を行えばユーザに何ら特別な操作をさせることなく隠しトラックを再生することができる。【選択図】        図８
2006012269.tif 000002
【特許請求の範囲】
【請求項１】
再生専用のディスク状記録媒体を再生する再生手段と、
上記再生手段によって読み出された上記ディスク状記録媒体の最内周側に存在するＴＯＣ領域のＴＯＣデータをメモリに記憶するＴＯＣデータ記憶手段と、
上記ＴＯＣデータの内容に基づいて上記ＴＯＣ領域と第１トラックとの間に隠しトラックが存在するか否かを判定する隠しトラック判定手段と、
上記隠しトラック判定手段によって上記隠しトラックが存在すると判定したとき当該隠しトラックを含めたトラック数に上記ＴＯＣデータを書き換えることにより書換ＴＯＣデータを生成するＴＯＣデータ書換手段と
を具えることを特徴とするディスク再生装置。
【請求項２】
上記再生手段は、上記書換ＴＯＣデータに従って上記隠しトラックを含めた再生処理を実行する
ことを特徴とする請求項１に記載のディスク再生装置。
【請求項３】
上記ＴＯＣデータ記憶手段は、上記書換ＴＯＣデータを上記ディスク状記録媒体毎に複数種類保存する
ことを特徴とする請求項１に記載のディスク再生装置。
【請求項４】
上記ＴＯＣデータ書換手段は、上記隠しトラックの再生中に、ユーザにより押下操作されたタイミング以降の当該隠しトラック部分を新たなトラックとして認識し、当該新たなトラックを含めたトラック数に上記ＴＯＣデータを書き換えることにより上記書換ＴＯＣデータを生成する
ことを特徴とする請求項１に記載のディスク再生装置。
【請求項５】
再生専用のディスク状記録媒体を再生する再生ステップと、
上記再生ステップで読み出された上記ディスク状記録媒体の最内周側に存在するＴＯＣ領域のＴＯＣデータをメモリに記憶するＴＯＣデータ記憶ステップと、
上記ＴＯＣデータの内容に基づいて上記ＴＯＣ領域と第１トラックとの間に隠しトラックが存在するか否かを判定する隠しトラック判定ステップと、
上記隠しトラック判定ステップで上記隠しトラックが存在すると判定したとき当該隠しトラックを含めたトラック数に上記ＴＯＣデータを書き換えることにより書換ＴＯＣデータを生成するＴＯＣデータ書換ステップと
を具えることを特徴とするディスク再生方法。
【請求項６】
ディスク再生装置に対して、
再生専用のディスク状記録媒体を再生する再生ステップと、
上記再生ステップで読み出された上記ディスク状記録媒体の最内周側に存在するＴＯＣ領域のＴＯＣデータをメモリに記憶するＴＯＣデータ記憶ステップと、
上記ＴＯＣデータの内容に基づいて上記ＴＯＣ領域と第１トラックとの間に隠しトラックが存在するか否かを判定する隠しトラック判定ステップと、
上記隠しトラック判定ステップで上記隠しトラックが存在すると判定したとき当該隠しトラックを含めたトラック数に上記ＴＯＣデータを書き換えることにより書換ＴＯＣデータを生成するＴＯＣデータ書換ステップと
を実行させるためのディスク再生制御プログラム。
【請求項７】
再生専用のディスク状記録媒体を再生する再生手段と、
上記再生手段によって読み出された上記ディスク状記録媒体の最内周側に存在するＴＯＣ領域のＴＯＣデータをメモリに記憶するＴＯＣデータ記憶手段と、
上記ディスク状記録媒体における任意のトラック番号に対応した１トラック中に複数のコンテンツが含まれている場合、当該複数のコンテンツのうち上記トラック番号に対応付けられたアドレスから開始するコンテンツ以外のコンテンツを隠しトラックとして判定する隠しトラック判定手段と、
上記隠しトラック判定手段によって上記隠しトラックを判定したとき、当該隠しトラックを含めたトラック数に上記ＴＯＣデータを書き換えることにより書換ＴＯＣデータを生成するＴＯＣデータ書換手段と
を具えることを特徴とするディスク再生装置。
【発明の詳細な説明】
【技術分野】
【０００１】
本発明は、ディスク再生装置に関し、例えばＣＤ(Compact Disc)に収録されているいわゆる隠しトラックを再生する場合に適用して好適なものである。
【背景技術】
【０００２】
従来、音楽用のＣＤＤＡ(Compact Disc Digital Audio)にはボーナストラック若しくは隠しトラックと呼ばれるコンテンツが最終トラック内やディスク最内周のＴＯＣ(Table of Content)領域と第１トラックとの間に収録されていることがある。
【０００３】
ここで隠しトラックとは、任意のトラック番号に対応した１トラック中に複数のコンテンツが含まれている場合に当該複数のコンテンツのうち上記トラック番号に対応付けられたアドレスから開始する最初のコンテンツ以外のコンテンツをいい、これらを隠しトラック或いはボーナストラックと称している。
【０００４】
ＣＤ再生装置では、このような隠しトラックと称されるものがＣＤＤＡ（以下、これを単にＣＤと呼ぶ）のＴＯＣ領域に記録されたＴＯＣデータに記述されていないことから、当該隠しトラックに関するトラック番号等が液晶ディスプレイに表示されることもない。またＣＤジャケットにも隠しトラックの存在が記載されていないことが多く、ユーザが普通にＣＤを聴取しているだけではその存在すら気付かないこともある。
【０００５】
一方、ＤＶＤ−Ａｕｄｉｏ等の光ディスクの再生を開始する前に、当該光ディスクにボーナストラックが存在することを予め管理情報から読み取って認識し、これを外部モニタを通じてユーザに明示するようにしたものがある（例えば、特許文献１参照）。
【特許文献１】特開2002-352568公報
【発明の開示】
【発明が解決しようとする課題】
【０００６】
ところで通常のＣＤ再生装置では、ＣＤの再生処理を行うに際し、ＴＯＣ領域のＴＯＣデータを読み出し、当該ＣＤに収録されているトラック数を認識し、そのトラック数を液晶ディスプレイに表示することが行われるものの、隠しトラックについてはＴＯＣデータに記述されていないのでその存在をユーザに提示することはない。
【０００７】
従ってユーザは、隠しトラックの存在を疑ったときにはＣＤ再生装置に対して早送り操作や早戻し操作等を行わなければならず、当該隠しトラックの楽曲を再生するに当たって煩雑な操作を強いられるという問題があった。
【０００８】
本発明は以上の点を考慮してなされたもので、ユーザに煩雑な操作を強いることなく隠しトラックを再生し得るディスク再生装置を提案しようとするものである。
【課題を解決するための手段】
【０００９】
かかる課題を解決するため本発明のディスク再生装置においては、再生専用のディスク状記録媒体を再生する再生手段と、再生手段によって読み出されたディスク状記録媒体の最内周側に存在するＴＯＣ領域のＴＯＣデータをメモリに記憶するＴＯＣデータ記憶手段と、ＴＯＣデータの内容に基づいてＴＯＣ領域と第１トラックとの間に隠しトラックが存在するか否かを判定する隠しトラック判定手段と、隠しトラックが存在すると判定したとき当該隠しトラックを含めたトラック数にＴＯＣデータを書き換えることにより書換ＴＯＣデータを生成するＴＯＣデータ書換手段とを設けるようにする。
【００１０】
また本発明のディスク再生方法においては、再生専用のディスク状記録媒体を再生する再生ステップと、再生ステップで読み出されたディスク状記録媒体の最内周側に存在するＴＯＣ領域のＴＯＣデータをメモリに記憶するＴＯＣデータ記憶ステップと、ＴＯＣデータの内容に基づいてＴＯＣ領域と第１トラックとの間に隠しトラックが存在するか否かを判定する隠しトラック判定ステップと、隠しトラックが存在すると判定したとき当該隠しトラックを含めたトラック数にＴＯＣデータを書き換えることにより書換ＴＯＣデータを生成するＴＯＣデータ書換ステップとを設けるようにする。
【００１１】
さらに本発明のディスク再生制御プログラムにおいては、ディスク再生装置に対して、再生専用のディスク状記録媒体を再生する再生ステップと、再生ステップで読み出されたディスク状記録媒体の最内周側に存在するＴＯＣ領域のＴＯＣデータをメモリに記憶するＴＯＣデータ記憶ステップと、ＴＯＣデータの内容に基づいてＴＯＣ領域と第１トラックとの間に隠しトラックが存在するか否かを判定する隠しトラック判定ステップと、隠しトラックが存在すると判定したとき当該隠しトラックを含めたトラック数にＴＯＣデータを書き換えることにより書換ＴＯＣデータを生成するＴＯＣデータ書換ステップとを実行させるようにする。
【００１２】
これによりディスク再生装置、ディスク再生方法及びディスク再生制御プログラムでは、再生専用のディスク状記録媒体の最内周側に存在するＴＯＣ領域のＴＯＣデータを読み出してメモリに一旦記憶し、そのＴＯＣデータの内容に基づいてＴＯＣ領域と正規トラックにおける第１トラックとの間に隠しトラックが存在するか否かを判定し、当該隠しトラックが存在すると判定したとき当該隠しトラックを含めたトラック数にＴＯＣデータを書き換えることにより書換ＴＯＣデータを生成することができるので、ディスク状記録媒体の再生時に書換ＴＯＣデータに従って再生処理を行うことにより、ユーザに何ら特別な操作をさせることなく隠しトラックを再生することができる。
【００１３】
さらに本発明のディスク再生装置においては、再生専用のディスク状記録媒体を再生する再生手段と、当該再生手段によって読み出されたディスク状記録媒体の最内周側に存在するＴＯＣ領域のＴＯＣデータをメモリに記憶するＴＯＣデータ記憶手段と、ディスク状記録媒体における任意のトラック番号に対応した１トラック中に複数のコンテンツが含まれている場合、当該複数のコンテンツのうちトラック番号に対応付けられたアドレスから開始するコンテンツ以外のコンテンツを隠しトラックとして判定する隠しトラック判定手段と、隠しトラック判定手段によって隠しトラックを判定したとき、当該隠しトラックを含めたトラック数にＴＯＣデータを書き換えることにより書換ＴＯＣデータを生成するＴＯＣデータ書換手段とを設けるようにする。
【００１４】
これによりディスク再生装置では、再生専用のディスク状記録媒体の最内周側に存在するＴＯＣ領域のＴＯＣデータを読み出してメモリに一旦記憶し、１トラック中に含まれる複数のコンテンツのうちトラック番号に対応付けられたアドレスから開始するコンテンツ以外のコンテンツを隠しトラックとして判定し、当該隠しトラックを含めたトラック数にＴＯＣデータを書き換えることにより書換ＴＯＣデータを生成することができるので、ディスク状記録媒体の再生時に書換ＴＯＣデータに従って再生処理を行うことにより、トラック番号に対応付けられたアドレスから開始するコンテンツ以外の隠しトラックを直接指定して再生することができる。
【発明の効果】
【００１５】
本発明によれば、再生専用のディスク状記録媒体の最内周側に存在するＴＯＣ領域のＴＯＣデータを読み出してメモリに一旦記憶し、そのＴＯＣデータの内容に基づいてＴＯＣ領域と正規トラックにおける第１トラックとの間に隠しトラックが存在するか否かを判定し、当該隠しトラックが存在すると判定したとき当該隠しトラックを含めたトラック数にＴＯＣデータを書き換えることにより書換ＴＯＣデータを生成することができるので、ディスク状記録媒体の再生時に書換ＴＯＣデータに従って再生処理を行うことにより、ユーザに何ら特別な操作をさせることなく隠しトラックを再生し得るディスク再生装置、ディスク再生方法及びディスク再生制御プログラムを実現することができる。
【００１６】
また本発明によれば、再生専用のディスク状記録媒体の最内周側に存在するＴＯＣ領域のＴＯＣデータを読み出してメモリに一旦記憶し、１トラック中に含まれる複数のコンテンツのうちトラック番号に対応付けられたアドレスから開始するコンテンツ以外のコンテンツを隠しトラックとして判定し、当該隠しトラックを含めたトラック数にＴＯＣデータを書き換えることにより書換ＴＯＣデータを生成することができるので、ディスク状記録媒体の再生時に書換ＴＯＣデータに従って再生処理を行うことにより、トラック番号に対応付けられたアドレスから開始するコンテンツ以外の隠しトラックを直接指定して再生し得るディスク再生装置を実現することができる。
【発明を実施するための最良の形態】
【００１７】
以下、図面について、本発明の一実施の形態を詳述する。
【００１８】
（１）ＣＤ再生装置の構成
図１において、１は全体として本発明のディスク再生装置としてのＣＤ再生装置を示し、ＣＰＵ(Central Processing Unit)１６が再生部３やメモリコントロール回路１３を含めて全体を統括制御するようになされており、ＲＯＭ（図示せず）に格納された基本プログラムに従って行う通常のＣＤ再生処理の他、アプリケーションプログラムであるディスク再生制御プログラムに従って行う隠しトラック検出及びＴＯＣデータ書換処理手順（後述する）等を実行し得るようになされている。なおＣＰＵ１６は電源回路２２からの電力を各回路に供給して動作させる。
【００１９】
再生部３は、ＣＤ２を回転させるためのスピンドルモータ４、当該ＣＤの記録面にレーザ光を照射しその反射光を受光することにより再生データを得る光学ピックアップ５、当該光学ピックアップ５をトラッキング方向やフォーカス方向に駆動制御するための二軸デバイス６及びスレッドモータ７によって構成されている。
【００２０】
ＲＦ(Radio Frequency)アンプ８は、光学ピックアップ５から供給された再生データをサーボ回路９及びドライバ１０を介してＤＳＰ(Digital Signal Processor)１２へ送出すると共に、当該再生データをデータ抽出及びＰＬＬ(Phase Locked Loop)回路１１へ送出する。
【００２１】
データ抽出及びＰＬＬ回路１１は、再生データからクロックを抽出したり、再生データのうち制御信号等を除くコンテンツデータのみを抽出し、これをＤＳＰ１２へ送出する。
【００２２】
ＤＳＰ１２は、ドライバ１０から供給される情報に基づきスピンドルゲインＵＰ回路１３を介してスピンドルモータ４のゲインを調整するための制御信号を生成し、これをドライバ１０を介して再生部３へフィードバックする。
【００２３】
ＣＰＵ１６は、ＤＳＰ１２からの情報に基づきドライバ１０を介して光学ピックアップ５、二軸デバイス６及びスレッドモータ７を制御することにより、再生部３におけるトラッキング制御及びフォーカス制御を行うようになされている。
【００２４】
またＤＳＰ１２は、コンテンツデータに対して復調処理及びエラー訂正処理等の各種信号処理を行うことにより元の楽曲データを復元し、これをメモリコントロール回路１３を介してＤＲＡＭ(Dynamic Random Access Memory)１４に一旦記憶して所定量蓄積した後に再度読み出しながらディジタルアナログコンバータ１７へ送出する。
【００２５】
ところでメモリコントロール回路１３には、不揮発性メモリでなるフラッシュメモリ１５が接続されており、ＣＤ再生装置１自体が電源オフ状態になったときに保存しておくべき情報を当該フラッシュメモリ１５に記憶し得るようになされている。
【００２６】
ディジタルアナログコンバータ１７は、楽曲データをアナログ信号に変換した後、これを楽曲信号としてミュート回路１８、ボリューム回路１９及びヘッドフォンアンプ２０を介して出力するようになされている。なおＣＰＵ１６は、ＬＣＤ(Liquid Crystal Diplay)２１に対してトラック番号、再生経過時間、楽曲タイトル等の各種情報を表示するようになされている。
【００２７】
ここでディジタルアナログコンバータ１７は、ディジタルアナログ変換処理だけではなく、楽曲データの波形を基に楽曲と楽曲との間の無音部分を検出するようになされており、当該無音部分を検出したときにはＣＰＵ１６へ知らせるようになされている。
【００２８】
ＣＰＵ１６は、キー操作部２３を介して与えられる再生命令、早送り命令、早戻し命令、トラック番号の指定等でなる種々の命令を受け取り、当該命令に応じてＣＤ２の通常再生処理を実行したり、後述する隠しトラック検出及びＴＯＣデータ書換処理等を実行し得るようになされている。
【００２９】
（２）隠しトラック検出及びＴＯＣデータ書換処理
（２−１）隠しトラック検出の原理
図２に示すように、隠しトラックの存在しない通常のＣＤについては、ディスク最内周側領域に記録されているＴＯＣデータに続いて２秒４０フレーム分の無音でなるギャップ領域を挟んで第１トラック（Ｔｒａｃｋ１）の楽曲が収録され、当該第１トラックの終了時点から引き続き約２秒間分の無音でなるギャップ領域を挟んで第２トラック（Ｔｒａｃｋ２）の楽曲が収録されている。
【００３０】
このようなＣＤのＴＯＣデータの内容としては、図３に示すように、ＴＯＣデータの終了時点の絶対時刻を「０分００秒００フレーム」とした場合に、絶対時刻「０分００秒００フレーム」から２秒４０フレーム分のギャップ領域を挟んで、その直後の開始絶対時刻「０分０２秒４０フレーム」から第１トラックの楽曲が開始することが記述され、また第１トラック終了時点からギャップ領域を挟んで次の開始絶対時刻「１０分００秒００フレーム」から第２トラックの楽曲が開始することが記述されている。
【００３１】
これに対して図４に示すように、隠しトラックの存在するＣＤ２については、その構造は隠しトラックの存在しない通常のＣＤ（図２）と同様であるが、ＴＯＣデータに続いて５分００秒００フレーム分もの長いギャップ領域が続き、その直後の開始絶対時刻「５分００秒００フレーム」から第１トラックの楽曲が収録されている。
【００３２】
この場合、隠しトラックの存在するＣＤ２のＴＯＣデータの内容としては、図５に示すように、ＴＯＣデータの終了時点の絶対時刻「０分００秒００フレーム」〜５分００秒００フレーム分のギャップ領域を挟んで、その直後の開始絶対時刻「５分００秒００フレーム」から第１トラックの楽曲が開始することが記述され、また第１トラック終了時点からギャップ領域を挟んで次の開始絶対時刻「１２分００秒００フレーム」から第２トラックの楽曲が開始することが記述されている。
【００３３】
このように隠しトラックが存在するＣＤ２は、ＴＯＣデータに続く最初のギャップ領域が数秒程度ではなく数分以上にわたるほど非常に長く設けられており、そのような場合にＣＤ再生装置１のＣＰＵ１６は当該ＣＤ２における最初のギャップ領域に隠しコンテンツが収録されていると推測するようになされている。
【００３４】
（２−２）ＴＯＣデータの書換方法
しかしながらＣＤ再生装置１では、最初のギャップ領域に隠しトラックの楽曲が収録されている場合であっても、あくまでもＣＤ２のＴＯＣデータとしては第１トラックから記述されているので、当該ＴＯＣデータに従って当該ＣＤ２を通常通り再生したのでは最初のギャップ領域に隠されている隠しトラックを再生することはできない。
【００３５】
そこでＣＤ再生装置１のＣＰＵ１６では、図６に示すように、当該ＣＤ２のＴＯＣデータを読み出して一旦ＤＲＡＭ１４に記憶した後、ＴＯＣデータの終了時点の絶対時刻「０分００秒００フレーム」から第１トラックが開始すると判断し、この「０分００秒００フレーム」を第１トラックの開始絶対時刻としてＤＲＡＭ１４に記憶することにより当該隠しトラックを疑似トラックとして新たに登録するようになされている。
【００３６】
その後ＣＰＵ１６は、これまでの第１トラックであった開始絶対時刻「５分００秒００フレーム」を第２トラックの開始絶対時刻に書き換え、これまで第２トラックであった開始絶対時刻「１２分００秒００フレーム」を第３トラックの開始絶対時刻として書き換えることにより、隠しトラックを含めた書き換え後のＴＯＣデータを書換ＴＯＣデータとしてＤＲＡＭ１４に一旦記憶する。
【００３７】
これにより新たに書き換えられた書換ＴＯＣデータの内容としては、図７に示すように、ＴＯＣデータの終了時点である開始絶対時刻「０分００秒００フレーム」〜「５分００秒００フレーム」の間に第１トラックの楽曲が開始することが記述され、また第２トラック終了時点からギャップ領域を挟んで開始絶対時刻「１２分００秒００フレーム」から第３トラックの楽曲が開始することが記述されている。
【００３８】
ＣＤ再生装置１のＣＰＵ１６は、こうして書き換えられた新たな書換ＴＯＣデータを当該ＣＤ２に対応させてフラッシュメモリ１５に記憶することにより、当該ＣＤ２を再生するときには、当該ＣＤ２のＴＯＣデータに従って再生処理を実行するのではなく、フラッシュメモリ１５に記憶しておいた新たな書換ＴＯＣデータに従って再生処理を実行するようになされている。
【００３９】
（２−３）隠しトラック検出及びＴＯＣデータ書換処理
ＣＤ再生装置１のＣＰＵ１６は、アプリケーションプログラムであるＣＤ再生制御プログラムに従って上述した隠しトラック検出の原理及びＴＯＣデータ書換処理を実行するようになされており、当該隠しトラック検出及びＴＯＣデータ書換処理手順について図８及び図９のフローチャートに従って以下説明する。
【００４０】
実際上、ＣＤ再生装置１のＣＰＵ１６は、ルーチンＲＴ１の開始ステップから入ってステップＳＰ１へ移り、ＣＤ２の最内周領域に記録されたＴＯＣデータの読み出しを行い、それが完了すると、次のステップＳＰ２へ移る。
【００４１】
ステップＳＰ２においてＣＰＵ１６は、当該ＣＤ２に対応する書換ＴＯＣデータがフラッシュメモリ１５に予め登録されているか否かを判定する。ここで肯定結果が得られると、このことは当該ＣＤ２のＴＯＣデータが新たな書換ＴＯＣデータとして書き換えられた状態でフラッシュメモリ１５に記憶されていることを表しており、このときＣＰＵ１６は書換ＴＯＣデータを生成する必要はないと判断し、次のステップＳＰ６へ移って処理を終了する。
【００４２】
これに対してステップＳＰ２で否定結果が得られると、このことは当該ＣＤ２に対応する新たな書換ＴＯＣデータがフラッシュメモリ１５には記憶されていない、すなわちＣＤ再生装置１に対して初めて装填されたＣＤ２であると判断し、このときＣＰＵ１６は次のステップＳＰ３へ移る。
【００４３】
ステップＳＰ３においてＣＰＵ１６は、当該ＣＤ２における第１トラックの開始絶対時刻を再生データから取得し、次のステップＳＰ４へ移る。
【００４４】
ステップＳＰ４においてＣＰＵ１６は、当該取得した第１トラックの開始絶対時刻に基づいて、ディスク最内周側領域に記録されたＴＯＣデータと最初の第１トラックとの間に十分な時間（例えば３分以上）のギャップが存在するか否かを判定する。
【００４５】
ここで否定結果が得られると、このことはディスク最内周側領域に記録されたＴＯＣデータと最初の第１トラックとの間に十分な時間のギャップが存在しておらず、そのギャップに隠しトラックは存在していないと判断し得ることを表しており、このときＣＰＵ１６はＴＯＣデータを書き換える必要はないと認識し、ステップＳＰ６へ移って処理を終了する。
【００４６】
これに対してステップＳＰ４で肯定結果が得られると、このことはＴＯＣデータと最初の第１トラックとの間に十分な時間（この場合５分間）のギャップ（図６）が存在していることを表しており、このときＣＰＵ１６は次のステップＳＰ５へ移る。
【００４７】
ステップＳＰ５においてＣＰＵ１６は、ＴＯＣデータと最初の第１トラックとの間に十分な時間のギャップが存在しているので、そのギャップに隠しトラックが存在すると推測し、次のサブルーチンＳＲＴ１へ移ってＴＯＣデータの書換処理を行う。
【００４８】
図９に示すようにＣＤ再生装置１のＣＰＵ１６は、ステップＳＰ１１において、隠しトラックが存在することを推測したので、当該隠しトラックを含めた全トラック数をカウントし、次のステップＳＰ１２へ移る。
【００４９】
ステップＳＰ１２においてＣＰＵ１６は、ＣＤ２のＴＯＣデータから読み取ったトラック数ｉよりも隠しトラックを含めた全トラック数の方が大きいか否かを判定し、肯定結果が得られると次のステップＳＰ１３へ移る。
【００５０】
ステップＳＰ１３においてＣＰＵ１６は、図１０（Ａ）及び（Ｂ）に示すように、このときＣＤ２から最初に読み出してＤＲＡＭ１４に記憶しているＴＯＣデータのうちｉ番目の領域に相当する第２トラックの内容（開始絶対時刻「１２分００秒００フレーム」）をｉ＋１番目の領域へずらし、これを第３トラックのアドレスとして記憶し、次のステップＳＰ１４へ移る。
【００５１】
ステップＳＰ１４においてＣＰＵ１６は、図１０（Ｃ）に示すようにＴＯＣデータのうちｉ−１番目の領域に相当する第１トラックの内容（開始絶対時刻「５分００秒００フレーム」）をｉ番目の領域へずらし、これを第２トラックのアドレスとして記憶し、次のステップＳＰ１５へ移る。
【００５２】
ステップＳＰ１５においてＣＰＵ１６は、ｉ−１番目の領域に隠しトラックの内容（開始絶対時刻「０分００秒００フレーム」）を第１トラックのアドレスとして記憶し、次のステップＳＰ１６へ戻る。
【００５３】
ステップＳＰ１６においてＣＰＵ１６は、ステップＳＰ１３〜ステップＳＰ１５によって書き換えることにより生成した新たな書換ＴＯＣデータ（図１０（Ｄ））を当該ＣＤ２に対応させた状態でフラッシュメモリ１５に記憶し、次のステップＳＰ６へ移って処理を終了する。
【００５４】
これによりＣＰＵ１６は、当該ＣＤ２のＴＯＣデータに従って再生処理を行うのではなく、フラッシュメモリ１５に記憶した新たな書換ＴＯＣデータに従って当該ＣＤ２を再生処理することができるので、通常の再生ボタンに対する押下操作だけで隠しトラックを含めた全てのトラックについて再生することができる。
【００５５】
（２−４）最終トラックにおける無音時間経過後の隠しトラックの自動登録処理
図１１に示すようにＣＤ再生装置１のＣＰＵ１６は、図４に示したようにＴＯＣデータと最初の第１トラックとの間のギャップに隠しトラックが存在しているのではなく、例えば開始絶対時刻「１０分００秒００フレーム」の最終トラックに対応付けられたアドレスから開始される楽曲が終了した後、所定時間の無音部分を挟んで開始絶対時刻「３０分３４秒７０フレーム」以降に隠しトラックが収録されている場合もある。
【００５６】
このような場合であってもＣＤ再生装置１のＣＰＵ１６は、無音部分を自動的に検出すると共に、無音部分経過後における次の隠しトラックの再生処理を開始した時点（開始絶対時刻）で当該隠しトラックを疑似トラックとして登録するようになされている。
【００５７】
実際上、図１２に示すようにＣＤ再生装置１のＣＰＵ１６は、ルーチンＲＴ２の開始ステップから入ってステップＳＰ２１へ移り、ＣＤ２を再生し、次のステップＳＰ２２へ移る。
【００５８】
ステップＳＰ２２においてＣＰＵ１６は、ＣＤ２の再生中に無音フラグがＯＮになっていることを確認したか否かを判定し、肯定結果が得られると次のステップＳＰ２３へ移る。
【００５９】
ステップＳＰ２３においてＣＰＵ１６は、無音フラグがＯＮになっていることを確認したので再生中の楽曲が終了して無音部分に入ったと認識し得、この無音部分が所定時間以上（例えば３秒間以上）継続するか否かを判定する。
【００６０】
ここでＣＰＵ１６が無音部分を３秒間以上継続するか否かを判定する理由は、通常楽曲が終了してから約２秒間のギャップ領域を挟んで次のトラックにおける楽曲が収録されていることが一般的であるため、この約２秒間のギャップ領域を無音部分として判断することがないようにその判断対象から排除するためのである。
【００６１】
従ってステップＳＰ２３で否定結果が得られると、無音部分が通常の楽曲間に存在する約２秒間のギャップ領域であることを表しており、このときＣＰＵ１６はステップＳＰ２１へ戻って再生処理を継続する。
【００６２】
ステップＳＰ２３で肯定結果が得られるとＣＰＵ１６は通常の２秒間のギャップ領域ではない無音部分であったと認識し、このとき次のステップＳＰ２４へ移り、無音部分が終了したか否かを判定する。
【００６３】
ここで肯定結果が得られると、このことは無音部分が終了して同一トラック（例えば最終トラック）内における隠しトラックの楽曲に対する再生処理を開始したことを表しており、このときＣＰＵ１６は次のステップＳＰ２５へ移る。
【００６４】
ステップＳＰ２５においてＣＰＵ１６は、無音部分の再生処理が終了すると同時に次の隠しトラックの楽曲に対する再生処理を開始したので、無音フラグをＯＦＦにリセットし、次のステップＳＰ２６へ移る。
【００６５】
ステップＳＰ２６においてＣＰＵ１６は、無音部分の再生処理が終了した時点「３０分３４秒７０フレーム」を隠しトラックの開始絶対時刻として記憶することにより最終トラックに含まれている隠しトラックを疑似トラックとして登録し、当該疑似トラックを含めた新たな書換ＴＯＣデータを当該ＣＤ２に対応させた状態でフラッシュメモリ１５に記憶し、次のステップＳＰ２９へ移って処理を終了する。
【００６６】
一方、ステップＳＰ２２で否定結果が得られると、このことは無音フラグがＯＮではない、すなわち最終トラックの楽曲を未だ再生処理中であることを表しており、このときＣＰＵ１６は次のステップＳＰ２７へ移る。
【００６７】
ステップＳＰ２７においてＣＰＵ１６は、その後に無音部分を検出したか否かを判定し、否定結果が得られるとステップＳＰ２１へ戻って無音部分が検出されるまで処理を繰り返し、一方肯定結果が得られると次のステップＳＰ２８へ移って無音フラグをＯＮにして再度ステップＳＰ２１へ戻る。
【００６８】
このようにしてＣＤ再生装置１のＣＰＵ１６は、ＣＤ２のＴＯＣデータと最初の第１トラックとの間のギャップに存在する隠しトラックや、例えば最終トラックに対応付けられたアドレスから開始される最初の楽曲終了後の無音部分を挟んだ後に存在する隠しトラックを疑似トラックとして記憶し、当該疑似トラックを含めたトラック数でなる新たな書換ＴＯＣデータを生成し、これを当該ＣＤ２に対応させた状態でフラッシュメモリ１５に記憶するようになされている。
【００６９】
（３）動作及び効果
以上の構成において、ＣＤ再生装置１のＣＰＵ１６は、第１トラックの開始絶対時刻の値に基づいてＴＯＣデータと最初の第１トラックとの間のギャップに隠しトラックが存在することを推測し、これを疑似トラックとしてその開始絶対時刻を当該疑似トラックのアドレスとしてＤＲＡＭ１４に記憶する。
【００７０】
またＣＰＵ１６は、任意のトラックにおける楽曲終了後の無音部分を挟んだ後に存在する隠しトラックを検出したときにも、これを疑似トラックとしてその開始絶対時刻を当該疑似トラックのアドレスとしてＤＲＡＭ１４に記憶する。
【００７１】
そしてＣＤ再生装置１のＣＰＵ１６は、これら疑似トラックを含めたトラック数にＣＤ２のＴＯＣデータを書き換えることにより新たな書換ＴＯＣデータを生成し、これを当該ＣＤ２に対応させた状態でフラッシュメモリ１５に記憶する。
【００７２】
これによりＣＤ再生装置１のＣＰＵ１６は、当該ＣＤ２を再生する場合、当該ＣＤ２のＴＯＣデータに従って再生するのではなく、フラッシュメモリ１５に記憶した新たな書換ＴＯＣデータに従って再生処理を実行すれば、ＣＤ２のＴＯＣデータに従って通常に再生したのでは再生し得なかった第１トラックの前に収録されている隠しトラックについても特別な操作することなくキー操作部２３に対する押下操作後の当初から再生出力することができる。
【００７３】
またＣＤ再生装置１のＣＰＵ１６は、書換ＴＯＣデータを用いて再生処理を実行するようにすれば、最終トラックに存在する隠しトラックについても疑似トラックとして書換ＴＯＣデータにそのアドレスが登録されているので、当該疑似トラックを直接指定して再生することができる。
【００７４】
すなわちＣＤ再生装置１のＣＰＵ１６は、最終トラックにおける正規の楽曲を再生処理した後の無音部分経過を待つことなく隠しトラックを直接指定して再生することができるので、無音部分が経過することをユーザに待たせずに済む。
【００７５】
このようにＣＤ再生装置１のＣＰＵ１６は、新たな書換ＴＯＣデータを用いれば、再生希望の楽曲のトラックだけを指定して再生するプログラム再生処理を行うに当たって、隠しトラックについてもプログラム再生処理の対象とすることができる。
【００７６】
以上の構成によれば、ＣＤ再生装置１のＣＰＵ１６は、第１トラックの開始絶対時刻の値に基づいてＴＯＣデータと最初の第１トラックとの間のギャップに存在する隠しトラックを検出し、これを疑似トラックとして含める形でＣＤ２のＴＯＣデータを書き換えて新たな書換ＴＯＣデータとしてフラッシュメモリ１５に記憶することができる。
【００７７】
これによりＣＤ再生装置１のＣＰＵ１６は、当該ＣＤ２を再生する際には、当該ＣＤ２のＴＯＣデータを用いるのではなく、フラッシュメモリ１５に記憶した新たな書換ＴＯＣデータに従って再生処理を実行することにより、ユーザに特別な操作をさせることなく、隠しトラックが収録されているＣＤ２をあたかも隠しトラックの収録されていないＣＤ同様に再生することができる。
【００７８】
（４）他の実施の形態
なお上述の実施の形態においては、自動的に隠しトラックを検出してＴＯＣデータを書き換えるようにした場合について述べたが、本発明はこれに限らず、例えば図１３に示すように第１トラックの楽曲を再生中、ユーザ所望の任意のタイミングでキー操作部２３が押下操作された時点「８分３０秒２５フレーム」を開始絶対時刻として記憶し、これを用いてＣＤ２のＴＯＣデータを書き換えるようにしても良い。
【００７９】
この場合、図１４に示すように、ＣＰＵ１６は第１トラックと第２トラックとの間に疑似トラックを挿入し、これを第２トラックとして記憶し、これまで第２トラックであったものを第３トラックとして記憶することにより新たな書換ＴＯＣデータを生成することができる。
【００８０】
かくしてＣＤ再生装置１のＣＰＵ１６は、新たな書換ＴＯＣデータに従って、図１５に示すように開始絶対時刻「０分２秒４０フレーム」のアドレスから再生を開始する第１トラックと、開始絶対時刻「８分３０秒２５フレーム」のアドレスから再生を開始する第２トラック（疑似トラック）と、開始絶対時刻「１０分００秒００フレーム」のアドレスから再生を開始する第３トラック（元は第２トラック）とを順番に再生処理することができる。
【００８１】
また上述の実施の形態においては、コンテンツとして楽曲を対象とするようにした場合について述べたが、本発明はこれに限らず、ビデオを対象とするようにしても良い。
【００８２】
さらに上述の実施の形態においては、ＣＰＵ２がＲＯＭに予め格納されたディスク再生制御プログラムに従って上述の隠しトラック検出及びＴＯＣデータ書換処理手順（図８）を実行するようにした場合について述べたが、本発明はこれに限らず、ディスク再生制御プログラムが格納されたプログラム格納媒体をＣＤ再生装置１にインストールすることにより上述の隠しトラック検出及びＴＯＣデータ書換処理手順を実行するようにしても良い。
【００８３】
さらに上述の実施の形態においては、本発明のディスク再生装置をＣＤ再生装置１に適用するようにした場合について述べたが、本発明はこれに限らず、記録が既に行われたＣＤ−Ｒ(Compact Disc-Recordable)やＤＶＤ−Ｒ(Digital Versatile Disc-Recordable)、ＤＶＤ−ＲＯＭ及びＤＶＤ―ＶＩＤＥＯ等の再生専用のディスク状記録媒体を再生するものであれば、その他の種々のディスク再生装置に適用するようにしても良い。
【００８４】
さらに上述の実施の形態においては、本発明のディスク再生装置を、再生手段としての再生部３、ＴＯＣデータをメモリとしてのＤＲＡＭ１４に記憶するＴＯＣデータ記憶手段としてのＣＰＵ１６及びメモリコントロール回路１３、隠しトラック判定手段及びＴＯＣデータ書換手段としてのＣＰＵ１６によって構成するようにした場合について述べたが、本発明はこれに限らず、その他種々の回路構成でディスク再生装置を構成するようにしても良い。
【産業上の利用可能性】
【００８５】
本発明のディスク再生装置は、例えば再生専用の光ディスクに収録されている隠しトラックを特別な操作なしに再生処理する用途に適用することができる。
【図面の簡単な説明】
【００８６】
【図１】本発明のＣＤ再生装置の回路構成を示す略線的ブロック図である。
【図２】隠しトラックの存在しない通常のディスク内容の説明に供する略線図である。
【図３】ＣＤ再生装置が読み込んだ通常のＣＤのＴＯＣデータ内容を示す略線図である。
【図４】隠しトラックが存在するディスク内容（ギャップに楽曲が隠されている）の説明に供する略線図である。
【図５】ＣＤ再生装置が読み込んだ隠しトラックの存在するＣＤのＴＯＣデータ内容を示す略線図である。
【図６】書換ＴＯＣデータからＣＤ再生装置が仮想するディスク内容の説明に供する略線図である。
【図７】ＣＤ再生装置が書換えた書換ＴＯＣデータ内容を示す略線図である。
【図８】隠しトラック検出及びＴＯＣデータ書換処理手順を示すフローチャートである。
【図９】ＴＯＣデータ書換処理手順を示すフローチャートである。
【図１０】ＴＯＣデータ書換シーケンスの説明に供する略線図である。
【図１１】無音時間経過後の隠しトラックを自動登録する際の説明に供する略線図である。
【図１２】無音時間経過後の隠しトラック自動登録処理手順を示すフローチャートである。
【図１３】他の実施の形態における疑似トラック手動登録の説明に供する略線図である。
【図１４】他の実施の形態における手動登録で書き換えられた書換ＴＯＣデータ内容を示す略線図である。
【図１５】他の実施の形態における擬似トラック手動登録した書換ＴＯＣデータから仮想するディスク内容を示す略線図である。
【符号の説明】
【００８７】
１……ＣＤ再生装置、２……ＣＤ、３……再生部、４……スピンドルモータ、５……光学ピックアップ、６……二軸デバイス、７……スレッドモータ、８……ＲＦアンプ、９……サーボ回路、１０……ドライバ、１１……データ抽出及びＰＬＬ回路、１２……ＤＳＰ、１３……メモリコントロール回路、１４……ＤＲＡＭ、１５……フラッシュメモリ、１６……ＣＰＵ、１７……ディジタルアナログコンバータ、１８……ミュート回路、１９……ボリューム回路、２０……ヘッドフォンアンプ、２１……ＬＣＤ、２２……電源回路、２３……キー操作部。
【図１】
2006012269.tif 000003
【図２】
2006012269.tif 000004
【図３】
2006012269.tif 000005
【図４】
2006012269.tif 000006
【図５】
2006012269.tif 000007
【図６】
2006012269.tif 000008
【図７】
2006012269.tif 000009
【図８】
2006012269.tif 000010
【図９】
2006012269.tif 000011
【図１０】
2006012269.tif 000012
【図１１】
2006012269.tif 000013
【図１２】
2006012269.tif 000014
【図１３】
2006012269.tif 000015
【図１４】
2006012269.tif 000016
【図１５】
2006012269.tif 000017